(57)【要約】      （修正有）【課題】興趣を添えるうちわを提供すること。【解決手段】扇いで風を起こすことが可能なうちわであって、風を起こす部分である透明性を有するうちわ本体２００を備え、うちわ本体２００は模様部２４０を有し、模様部２４０として顔の一部が描かれている。【選択図】図３
2019042182.tif 000002
【特許請求の範囲】
【請求項１】
扇いで風を起こすことが可能なうちわであって、
風を起こす部分である透明性を有するうちわ本体を備え、
前記うちわ本体は模様部を有し、前記模様部として顔の一部が描かれているうちわ。
【請求項２】
扇いで風を起こすことが可能なうちわであって、
風を起こす部分である透明性を有するうちわ本体を備え、
前記うちわ本体は模様部を有し、前記模様部として、眼鏡、頬紅、ピアス及びイアリングの少なくともいずれかが描かれているうちわ。
【請求項３】
前記うちわ本体に取り付けられ、利用者が手で持つことが可能な柄部材を備える請求項１又は２記載のうちわ。
【請求項４】
前記模様部として、髪の毛、眉毛、目、耳、鼻、口、ホクロ及び髭の少なくともいずれかが描かれている請求項１、２又は３記載のうちわ。
【請求項５】
扇いで風を起こすことが可能なうちわのうちわカバーであって、
前記うちわは風を起こす部分である透明性を有するうちわ本体を備え、
前記うちわ本体の少なくとも一部を覆ううちわカバーであり、
前記うちわカバーは模様部を有し、前記模様部には少なくとも顔の一部が描かれているうちわカバー。
【発明の詳細な説明】
【技術分野】
【０００１】
本発明は、扇いで風を起こす道具であるうちわに関する。
【背景技術】
【０００２】
うちわは、扇子と同様に扇いで風を起こす道具であり、竹あるいはプラスチック等の把持部の柄の先に細長い骨部を一体に多数形成し、この骨部を平面で扇形に開いた両面に紙又は布を張り、円形または卵形に成形したものが一般的である。
【０００３】
また、最近では、うちわ本体と把持部とを別体に形成し、厚紙またはプラスチックシートにより成形したうちわ本体を、プラスチック製の把持部の先に形成した取付溝に挟み込んで接着してなるものがある。
【０００４】
特許文献１に係る考案は、うちわ本体と把持部とを別体に形成してなるうちわであって、上記うちわ本体を、所望の形状に成形された紙の両面を腰の強いプラスチックシートにより挟持して周囲を熱溶着し、上記把持部をプラスチック製により一体成形された柄部材と挟持部材とにより構成し、上記柄部材の保持部にうちわ本体の柄取付部を載せ、保持部のノックピンにうちわ本体の位置決め穴を嵌着し、上記うちわ本体の上面より挟持部材を嵌め込み、挟持部材の係止爪をうちわ本体の係止穴に挿入すると共に、この係止爪を柄部材の保持部に形成した係合凹部に係止させるよう組付けてなるものである。
【０００５】
しかし、特許文献１では、うちわ本体にどのような図柄を表示するかは何も言及されていない。
【先行技術文献】
【特許文献】
【０００６】
【特許文献１】実開平６−２１４１８号公報
【発明の概要】
【発明が解決しようとする課題】
【０００７】
近年、うちわは、扇いで風を起こす道具としても使用されているが、京うちわのように飾って鑑賞するオブジェとして使用されたり、好きなアーティスト、アイドル、スポーツ選手等を応援するために使用されたり、広告・宣伝用に使用されたりしている。
【０００８】
そのため、うちわは扇いで風を起こす道具としてだけでなく、様々な用途に使用されており、興趣を添えたうちわを提供することが求められている。
【０００９】
本発明の目的は、興趣を添えるうちわを提供することである。
【課題を解決するための手段】
【００１０】
本発明に係る第１の局面は、扇いで風を起こすことが可能なうちわであって、
風を起こす部分である透明性を有するうちわ本体を備え、
前記うちわ本体は模様部を有し、前記模様部に顔の一部が描かれているうちわである。
【００１１】
このようなうちわであれば、例えば模様部として髭が描かれている場合、うちわの利用者がうちわ本体を自己の顔の前に配置することにより、うちわ本体を通して利用者の顔を見た第三者は、利用者が髭をつけているように見える。
【００１２】
そのため、利用者も第三者もうちわを使って楽しむことができる。なお、利用者は、自己の顔の前にうちわ本体を配置させず、第三者の顔の前にうちわ本体を配置させてもよい。
【００１３】
また、例えば模様部としてキャラクターの髪の毛、眉毛及び目が描かれている場合、うちわの利用者がうちわを自己の顔の前に配置することにより、うちわを通して利用者の顔を見た第三者は、利用者が当該キャラクターっぽくなり、利用者も第三者も楽しむことができる。
【００１４】
なお、「顔の一部」とは、眉毛、目、耳、鼻及び口だけでなく、髪の毛、ホクロ及び髭も含まれる概念である。
【００１５】
「透明性を有する」とは、透明度が１００％である必要はなく、半透明であってもよい。また、うちわ本体は、少なくとも一部が透明であればよい。
【００１６】
つまり、例えばうちわ本体の周縁が不透明で、顔の部分だけ透明であってもよい。
【００１７】
本発明に係る第２の局面は、扇いで風を起こすことが可能なうちわであって、
風を起こす部分である透明性を有するうちわ本体を備え、
前記うちわ本体は模様部を有し、前記模様部として、眼鏡、頬紅、ピアス及びイアリングの少なくともいずれかが描かれているうちわである。
【００１８】
模様部は顔の一部でなく顔に装着する眼鏡や顔に塗るメイク等であってもよい。例えば模様部として眼鏡が描かれている場合、うちわの利用者がうちわ本体を自己の顔の前に配置することにより、うちわ本体を通して利用者の顔を見た第三者は、利用者が眼鏡をつけているように見える。
【００１９】
そのため、利用者も第三者もうちわを使って楽しむことができる。なお、利用者は自己の顔の前にうちわ本体を配置させず、第三者の顔の前にうちわ本体を配置させてもよい。
【００２０】
本発明に係る第３の局面は、第１の局面又は第２の局面に係るうちわであって、前記うちわ本体に取り付けられ、利用者が手で持つことが可能な柄部材を備えるうちわである。
【００２１】
うちわに柄部材が備えられていることにより、利用者はうちわ本体を利用者の顔の前に配置し易くなる。
【００２２】
本発明に係る第４の局面は、第１の局面又は第２の局面に係るうちわであって、前記模様部として、髪の毛、眉毛、目、耳、鼻、口、ホクロ及び髭の少なくともいずれかが描かれているうちわである。
【００２３】
このようなうちわであれば、、例えば模様部として髭が描かれている場合、うちわの利用者がうちわ本体を自己の顔の前に配置することにより、うちわ本体を通して利用者の顔を見た第三者は、利用者が髭をつけているように見える。
【００２４】
そのため、利用者も第三者もうちわを使って楽しむことができる。なお、利用者は自己の顔の前にうちわ本体を配置させず、第三者の顔の前にうちわ本体を配置させてもよい。
【００２５】
また、例えば模様部としてキャラクターの髪の毛、眉毛及び目が描かれている場合、うちわの利用者がうちわを自己の顔の前に配置することにより、うちわを通して利用者の顔を見た第三者は、利用者が当該キャラクターっぽくなり、利用者も第三者も楽しむことができる。
【００２６】
本発明に係る第５の局面は、扇いで風を起こすことが可能なうちわのうちわカバーであって、
前記うちわは風を起こす部分である透明性を有するうちわ本体を備え、
前記うちわ本体の少なくとも一部を覆ううちわカバーであり、
前記うちわカバーは模様部を有し、前記模様部には少なくとも顔の一部が描かれているうちわカバーである。
【００２７】
このようなうちわであれば、うちわカバーが交換されることにより、新たな模様部がうちわに表示される。そのため、うちわの利用者はうちわカバーを交換することにより、容易に模様部を変更することができる。
【００２８】
本発明に係る第６の局面は、扇いで風を起こすことが可能なうちわのうちわカバーであって、
前記うちわは風を起こす部分である透明性を有するうちわ本体を備え、
前記うちわ本体の少なくとも一部を覆ううちわカバーであり、
前記うちわカバーは模様部を有し、前記模様部として、眼鏡、頬紅、ピアス及びイアリングの少なくともいずれかが描かれているうちわカバーである。
【００２９】
模様部は顔の一部でなく顔に装着する眼鏡や顔に塗るメイク等であってもよい。例えば模様部として眼鏡が描かれている場合、うちわの利用者がうちわ本体を自己の顔の前に配置することにより、うちわ本体を通して利用者の顔を見た第三者は、利用者が眼鏡をつけているように見える。
【００３０】
そのため、利用者も第三者もうちわを使って楽しむことができる。なお、利用者は自己の顔の前にうちわ本体を配置させず、第三者の顔の前にうちわ本体を配置させてもよい。
【００３１】
本発明に係る第７の局面は、第５の局面又は第６の局面に係るうちわカバーであって、前記模様部として、髪の毛、眉毛、目、耳、鼻、口、ホクロ及び髭の少なくともいずれかが描かれているうちわである。
【００３２】
このようなうちわであれば、、例えば模様部として髭が描かれている場合、うちわの利用者がうちわ本体を自己の顔の前に配置することにより、うちわ本体及びうちわカバーを通して利用者の顔を見た第三者は、利用者が髭をつけているように見える。
【００３３】
そのため、利用者も第三者もうちわを使って楽しむことができる。なお、利用者は自己の顔の前にうちわ本体を配置させず、第三者の顔の前にうちわ本体を配置させてもよい。
【００３４】
また、例えば模様部としてキャラクターの髪の毛、眉毛及び目が描かれている場合、うちわの利用者がうちわを自己の顔の前に配置することにより、うちわを通して利用者の顔を見た第三者は、利用者が当該キャラクターっぽくなり、利用者も第三者も楽しむことができる。
【図面の簡単な説明】
【００３５】
【図１】本発明に係る一実施形態におけるうちわの分解斜視図。
【図２】本発明に係る一実施形態におけるＡ−Ａにおける取付部材の断面図。
【図３】本発明に係る一実施形態におけるうちわの平面図。
【図４】本発明に係る一実施形態におけるうちわを利用者の顔の前に配置した正面図。
【図５】本発明に係る一実施形態におけるうちわカバーを被せたうちわの平面図。
【発明を実施するための形態】
【００３６】
以下、本発明に係るうちわ１００の実施形態に関して図面を参照しながら説明する。
【００３７】
図１及び図３に示すように、うちわ１００は、透明性を有するうちわ本体２００と、
うちわ本多い２００に固定される柄部材３００と、
うちわ本体２００に対して柄部材３００を取り付ける取付部材４００と、を含む。
【００３８】
＜第１実施形態＞
（うちわ本体２００）
うちわ本体２００は、柄部材３００を取り付けるために用いられる第１貫通孔２１０と、
第１貫通孔２１０よりｘ軸正方向側に配置され、柄部材３００を取り付けるために用いられる第２貫通孔２２０と、
柄部材３００がズレ難いようにするための切欠き部２３０と、
うちわ本体２００に表示される模様部２４０と、を含む。
【００３９】
うちわ本体２００は、所望の形状に成形された透明なプラスチックシートから構成される。本実施形態では、ｘｙ平面視略丸形状である。
【００４０】
うちわ本体２００は、ポリエチレン、ポリプロピレン、ポリカーボネイト、アクリル樹脂、塩化ビニル樹脂、ポリエチレンテレフタラート等の透明性を有する樹脂である。
【００４１】
うちわ本体２００のｚ軸方向の厚みは任意であるが、うちわとして機能する厚みに構成される。
【００４２】
うちわ本体２００の透明度は、１００％でなくてもよく、例えば半透明等の若干透ける程度であってもよい。
【００４３】
第１貫通孔２１０及び第２貫通孔２２０は、柄部材３００の挟持部材３１０の一部を挿入するところである。これにより柄部材３００がうちわ本体２００から外れ難くなる。
【００４４】
切欠き部２３０は、柄部材３００を配置する部分である。これにより柄部材３００がうちわ本体２００からズレ難くなる。
【００４５】
模様部２４０は、うちわ本体２００に描かれた模様である。模様部２４０には、様々なキャラクターの顔の一部が描かれていてもよい。
【００４６】
模様部２４０は、顔の一部を含む。本実施形態では、模様部２４０は、目２４１、眉毛２４２、髪の毛２４３であるが、耳、鼻、口又はホクロが記載されていてもよい。
【００４７】
また、模様部２４０として、眼鏡又はマスクが描かれていてもよい。
【００４８】
模様部２４０は、髪の毛、眉毛、目、耳、鼻、口、髭、ホクロ及び眼鏡の少なくともいずれかを含む。
【００４９】
また、うちわ１００を利用者の顔の全面に配置した場合、利用者の頬っぺたの部分に位置するうちわ本体２００に、模様部２４０として頬紅が描かれていてもよい。
【００５０】
模様部２４０として描かれる目には、瞳が描かれていなくてもよい。また、模様部２４０として、鼻又は口が描かれていなくても良い。
【００５１】
例えばうちわ本体２００に模様部２４０として鼻及び口が描かれていなくても、うちわ１００を利用者の顔の前（ｚ軸正方向側）に配置した場合、うちわ本体２００は透明性を有するため、うちわ１００をｚ軸正方向側から見た場合、利用者の鼻及び口がそのまま表示される。
【００５２】
（柄部材３００）
図１及び図３に示すように、柄部材３００は、利用者が手で持つ把持部３１０と、
うちわ本体２００を取り付ける部分である取付部３２０と、を含む。
【００５３】
柄部材３００は、うちわ本体２００と同様に透明性を有するものであってもよいが、透明性を有していなくても良い。
【００５４】
柄部材３００は、ポリエチレン、ポリプロピレン、ポリカーボネイト、アクリル樹脂、塩化ビニル樹脂、ポリエチレンテレフタラート、ＡＢＳ樹脂等の樹脂である。
【００５５】
把持部３１０は、利用者が持つ部分である。利用者が把持部３１０を持って手を動かしてあおぐことにより、うちわ１００が風をおこす。
【００５６】
本実施形態では、把持部３１０の周縁はｚ軸方向の厚みが若干大きくなっており、把持部３１０の強度が大きくなっている。
【００５７】
取付部３２０は、うちわ本体２００に柄部材３００を取り付ける部分である。取付部３２０は、ｘ軸負方向側に配置される第１切欠き部３２１と、ｘ軸正方向側に配置される第２切欠き部３２２と、を含む。
【００５８】
第１切欠き部３２１は、取付部材４００の第１固定部４１０によって固定されるところである。
【００５９】
第２切欠き部３２２は、取付部材４００の第２固定部４２０によって固定されるところである。
【００６０】
本実施形態では、取付部３２０は、ｙ軸正方向側が略半円状の丸みのある形状である。
【００６１】
取付部３２０は、把持部３１０よりｚ軸方向の厚みが若干小さくなっている。具体的には、取付部３２０のｚ軸方向の厚みと、うちわ本体２００のｚ軸方向の厚みと、取付部材４００のｚ軸方向の厚みとを合計した厚みが、把持部３１０のｚ軸正方向側の厚みとなっている。
【００６２】
これにより把持部３１０の厚みと、取付部３２０、うちわ本体２００及び取付部材４００の合計の厚みとが略同一となるため、把持部３１０と取付部材４００とのｚ軸正方向側の面がほぼ面一になる。
【００６３】
（取付部材４００）
図１及び図２に示すように、取付部材４００は、柄部材３００の取付部３２０とでうちわ本体２００を挟んで固定する部材である。
【００６４】
具体的には、取付部材４００は、柄部材３００の取付部３２０の第１切欠き部３２１に引っ掛けて固定する第１固定部４１０と、
柄部材３００の取付部３２０の第２切欠き部３２２に引っ掛けて固定する第２固定部４２０と、を含む。
【００６５】
第１固定部４１０及び第２固定部４２０は、ｚ軸負方向側に突起する略鉤形状となっている。
【００６６】
第１固定部４１０は、うちわ本体２００の第１貫通孔２１０を通過させて柄部材３００の取付部３２０の第１切欠き部３２１に引っ掛けて固定する。
【００６７】
第２固定部４２０は、うちわ本体２００の第２貫通孔２２０を通過させて柄部材３００の取付部３２０の第２切欠き部３２２に引っ掛けて固定する。
【００６８】
なお、本実施形態では、柄部材３００と取付部材４００とでうちわ本体２００を挟む構成であったが、このような構成に限られず、例えば、柄部材と取付部材が一体となったような構成であってもよい。
【００６９】
図４に示すように、うちわ１００は、利用者が柄部材３００を手でもってあおいで風を起こせるだけでなく、利用者がうちわ１００を顔の前方にかざすことにより、うちわ本体２００に描かれた顔の一部又は全部と、利用者の顔を重ねることができる。
【００７０】
これによって、利用者は、例えば、うちわ１００をミュージシャン等の応援に利用したり、ＳＮＳ（ｓｏｃｉａｌ  ｎｅｔｗｏｒｋｉｎｇ  ｓｅｒｖｉｃｅ）にアップロードしたり、写真を撮ったりして楽しむことができる。
【００７１】
＜第２実施形態＞
第２実施形態は、第１実施形態のうちわ本体２００が模様部２４０を有さず、透明性を有するうちわカバー５００が模様部２４０を有する構成である。第１実施形態と同様の説明は省略又は簡略して説明する。
【００７２】
本実施形態では、うちわ本体２００が模様部２４０を有さず、透明性を有する部材である。その他のうちわ本体２００の構成は、第１実施形態と同様である。
【００７３】
うちわカバー５００の形状は、うちわ１００の形状と同様の形状が好ましいが、形状が同一でなくてもよい。
【００７４】
うちわカバー５００は、ポリエチレン、ポリプロピレン、ポリカーボネイト、アクリル樹脂、塩化ビニル樹脂、ポリエチレンテレフタラート等の透明性を有する樹脂である。
【００７５】
うちわカバー５００は、柔軟性のあるフィルム状のものが好ましい。
【００７６】
図５に示すように、本実施形態では、うちわカバー５００は、うちわ本体２００のｙ軸正方向側から被せ、うちわ本体２００の下側（ｙ軸負方向側）でうちわカバー５００同士を接着したりボタンで留めたりする構成である。
【００７７】
本実施形態では、うちわカバー５００は、うちわ本体２００の下側（ｙ軸負方向側）でうちわカバー５００同士を第１ボタン５１０及び第２ボタン５２０で固定している。
【００７８】
そして、うちわカバー５００には、模様部２４０が設けられている。模様部２４０の内容は第１実施形態と同様である。このようなものであっても第１実施形態と同様の効果を奏する。
【００７９】
そして、このようなものであれば、うちわカバー５００を取り換えるだけで、模様部２４０として描かれている内容を取り換えることができる。
【００８０】
＜第３実施形態＞
第３実施形態は、うちわ本体２００とうちわカバー５００との両方が模様部２４０を有する構成である。
【００８１】
例えば、うちわ本体２００に模様部２４０として眉毛と目とが描かれており、うちわカバー５００にも要部２４０として髪の毛が描かれているというものである。
【００８２】
このようなものであっても、第１実施形態及び第２実施形態と同様の効果を奏する。つまり、模様部２４０の髪型だけを変更したい場合等、うちわカバー５００を取り換えるだけで容易に他の髪型に変更することができる。
【００８３】
なお、本実施形態では、柄部材３００を備えるうちわであったが、柄部材３００を備えずうちわ本体２００だけから構成されるうちわ１００であってもよい。
【００８４】
また、本実施形態では、うちわ本体２００と柄部材３００とが別部材であったが、うちわ本体２００と柄部材３００とが一体となっているものであってもよい。
【００８５】
本発明は、その趣旨を逸脱しない範囲で種々の改良、修正、又は変形を加えた態様でも実施できる。
【符号の説明】
【００８６】
１００…うちわ
２００…うちわ本体
２４０…模様部
３００…柄部材
４００…取付部材
５００…うちわカバー
【図１】
2019042182.tif 000003
【図２】
2019042182.tif 000004
【図３】
2019042182.tif 000005
【図４】
2019042182.tif 000006
【図５】
2019042182.tif 000007